(57)【要約】【課題】オーディオ装置において、録音ファイルの転送を容易に行うことができるようにする。【解決手段】オーディオ装置において、放送を受信する放送受信手段と、放送受信手段が受信する放送の録音を行うとともに、その際に生成する録音ファイルに関連付けて、録音する放送の周波数及び録音開始日時に関する情報を記録する録音手段と、外部の装置を接続するための接続手段と、接続手段を介して外部装置が接続されたとき、所定の条件が成立する場合に、録音手段が生成した録音ファイルを外部装置に対して転送する制御手段（ステップ４１、４５）とを設け、前記所定の条件を、録音手段が生成した録音ファイルと録音放送の周波数が一致するとともに共通する録音期間が存在し、かつ該録音ファイルよりも録音開始日が古い録音ファイルを外部装置が記憶しているという条件（ステップ４２〜４４）とする。【選択図】図４
2010165405.tif 000002
【特許請求の範囲】
【請求項１】
放送を受信する放送受信手段と、
前記放送受信手段が受信する放送の録音を行うとともに、その際に生成する録音ファイルに関連付けて、録音する放送の周波数及び録音開始日時に関する情報を記録する録音手段と、
外部の装置を接続するための接続手段と、
前記接続手段を介して外部装置が接続されたとき、所定の条件が成立する場合に、前記録音手段が生成した録音ファイルを該外部装置に対して転送する制御手段とを備え、
前記所定の条件は、前記録音手段が生成した録音ファイルと録音放送の周波数が一致するとともに共通する録音期間が存在し、かつ該録音ファイルよりも録音開始日が古い録音ファイルを該外部装置が記憶しているという条件であることを特徴とするオーディオ装置。
【請求項２】
前記録音手段は前記放送の録音を、設定されたタイマに従って行うものであり、
前記制御手段は、前記共通する録音期間が存在するという条件については、条件成否の判定対象となる双方の録音ファイルの録音開始時刻が一致している場合には成立する旨の判定を行うことを特徴とする請求項１に記載のオーディオ装置。
【請求項３】
前記制御手段は、前記共通する録音期間が存在するという条件については、条件成否の判定対象となる双方の録音ファイルのうちの一方の録音開始時刻が、他方の録音開始時刻から録音終了時刻までの間に含まれている場合には成立する旨の判定を行うことを特徴とする請求項１又は２に記載のオーディオ装置。
【請求項４】
前記制御手段は、前記録音ファイルの転送を行うに際し、前記外部装置が記憶している古い録音ファイルを、該古い録音ファイルが所定回数以上再生されていることを条件として削除することを特徴とする請求項１〜３のいずれか１項に記載のオーディオ装置。
【請求項５】
前記制御手段は、前記録音ファイルの転送を行うに際し、前記古い録音ファイルが格納されているフォルダに対して転送を行うものであることを特徴とする請求項１〜４のいずれか１項に記載のオーディオ装置。
【請求項６】
コンピュータを、請求項１〜５のいずれかの装置における録音手段及び制御手段として機能させることを特徴とするプログラム。
【請求項７】
オーディオ装置が、放送を受信する放送受信工程と、
前記オーディオ装置が、前記放送受信工程により受信される放送の録音を行うとともに、その際に生成する録音ファイルに関連付けて、録音する放送の周波数及び録音開始日時に関する情報を記録する録音工程と、
前記オーディオ装置が、外部装置が接続されたとき、所定の条件が成立する場合に、前記録音工程により生成した録音ファイルを該外部装置に対して転送する制御工程とを備え、
前記所定の条件は、前記録音工程により生成した録音ファイルと録音放送の周波数が一致するとともに共通する録音期間が存在し、かつ該録音ファイルよりも録音開始日が古い録音ファイルを該外部装置が記憶しているという条件であることを特徴とする録音ファイルの転送方法。
【発明の詳細な説明】
【技術分野】
【０００１】
本発明は、放送を録音し、録音ファイルを外部の装置に転送するオーディオ装置、該装置における録音手段及び制御手段としてコンピュータを機能させるプログラム、及び該装置による録音ファイルの転送方法に関する。
【背景技術】
【０００２】
従来、据置き型のオーディオ装置において、ラジオ放送をＭＰ３形式等で記録し、生成した録音ファイルをポータブルオーディオ装置で再生することが行われている。たとえばラジオ放送の語学番組などについて、タイマ録音により毎日の特定時刻や、毎週の特定曜日の特定時刻に録音を行い、録音後は逐次ポータブルオーディオ装置に録音ファイルを転送している。このような転送は、据置き型オーディオ装置にポータブルオーディオ装置を接続し、据置き型オーディオ装置に記録されている録音ファイルのうち転送対象とするものを選択し、そしてポータブルオーディオ装置の所定のフォルダに転送するように指示することにより行われる。
【０００３】
なお、タイマ録音に関する技術としては、外部のコンピュータのタイマ動作により、所定時刻に生成され、出力された制御信号を受信し、この制御信号に基づいて記録再生動作を行うようにした記録再生装置が知られている（たとえば、特許文献１参照）。
【先行技術文献】
【特許文献】
【０００４】
【特許文献１】特開２００２−２０８２６５号公報
【発明の概要】
【発明が解決しようとする課題】
【０００５】
しかしながら、上述の録音ファイルの転送方法によれば、転送を行う際に、ユーザが、転送する録音ファイルや転送先のフォルダを指定する必要がある。また、転送予定の録音ファイルが既に転送済である場合でも、転送操作を行ってみなければ、そのことに気づかない場合がある。また、転送予定の録音ファイルを転送する際に、同一番組の古い録音ファイルを消去する必要がある場合には、逐次古い録音ファイルを選択して消去する必要がある。
【０００６】
本発明の目的は、このような従来技術の問題点に鑑み、オーディオ装置において、外部装置への録音ファイルの転送を容易に行うことができるようにすることにある。
【課題を解決するための手段】
【０００７】
この目的を達成するため、第１の発明に係るオーディオ装置は、放送を受信する放送受信手段と、前記放送受信手段が受信する放送の録音を行うとともに、その際に生成する録音ファイルに関連付けて、録音する放送の周波数及び録音開始日時に関する情報を記録する録音手段と、外部の装置を接続するための接続手段と、前記接続手段を介して外部装置が接続されたとき、所定の条件が成立する場合に、前記録音手段が生成した録音ファイルを該外部装置に対して転送する制御手段とを備え、前記所定の条件は、前記録音手段が生成した録音ファイルと録音放送の周波数が一致するとともに共通する録音期間が存在し、かつ該録音ファイルよりも録音開始日が古い録音ファイルを該外部装置が記憶しているという条件であることを特徴とする。
【０００８】
第２の発明に係るオーディオ装置は、第１発明において、前記録音手段は前記放送の録音を、設定されたタイマに従って行うものであり、前記制御手段は、前記共通する録音期間が存在するという条件については、条件成否の判定対象となる双方の録音ファイルの録音開始時刻が一致している場合には成立する旨の判定を行うことを特徴とする。
【０００９】
第３の発明に係るオーディオ装置は、第１又は第２発明において、前記制御手段は、前記共通する録音期間が存在するという条件については、条件成否の判定対象となる双方の録音ファイルのうちの一方の録音開始時刻が、他方の録音開始時刻から録音終了時刻までの間に含まれている場合には成立する旨の判定を行うことを特徴とする。
【００１０】
第４の発明に係るオーディオ装置は、第１〜第３のいずれかの発明において、前記制御手段は、前記録音ファイルの転送を行うに際し、前記外部装置が記憶している古い録音ファイルを、該古い録音ファイルが所定回数以上再生されていることを条件として削除することを特徴とする。
【００１１】
第５の発明に係るオーディオ装置は、第１〜第４のいずれかの発明において、前記制御手段は、前記録音ファイルの転送を行うに際し、前記古い録音ファイルが格納されているフォルダに対して転送を行うものであることを特徴とする。
【００１２】
第６の発明に係るプログラムは、コンピュータを、第１〜第５のいずれかの発明に係るオーディオ装置における録音手段及び制御手段として機能させることを特徴とする。
【００１３】
第７の発明に係る録音ファイルの転送方法は、オーディオ装置が、放送を受信する放送受信工程と、前記オーディオ装置が、前記放送受信工程により受信される放送の録音を行うとともに、その際に生成する録音ファイルに関連付けて、録音する放送の周波数及び録音開始日時に関する情報を記録する録音工程と、前記オーディオ装置が、外部装置が接続されたとき、所定の条件が成立する場合に、前記録音工程により生成した録音ファイルを該外部装置に対して転送する制御工程とを備え、前記所定の条件は、前記録音工程により生成した録音ファイルと録音放送の周波数が一致するとともに共通する録音期間が存在し、かつ該録音ファイルよりも録音開始日が古い録音ファイルを該外部装置が記憶しているという条件であることを特徴とする。
【発明の効果】
【００１４】
本発明によれば、オーディオ装置において、外部装置への録音ファイルの転送を容易に行うことができる。
【図面の簡単な説明】
【００１５】
【図１】本発明の一実施形態に係る据置き型オーディオ装置の構成を示すブロック図である。
【図２】本発明の一実施形態に係る携帯型オーディオ装置の構成を示すブロック図である。
【図３】図１の装置や図２の装置におけるフォルダ構成を示す図である。
【図４】図１の装置における録音ファイルの転送処理を示すフローチャートである。
【発明を実施するための形態】
【００１６】
図１は、本発明の一実施形態に係る据置き型オーディオ装置の構成を示すブロック図である。同図に示すように、この装置は、装置の各部を制御するシステムマイコン１、装填されたＣＤに記録されたデータを読み出してデジタル音声信号を出力するＣＤメカ部２、外部からのアナログ音声信号の入力を受け入れる外部入力端子３、放送電波を受信して音声信号を出力するチューナ４、外部入力端子３又はチューナ４からの入力のうちの１つを選択するためのセレクタ５、セレクタ５からのアナログ音声信号をデジタル音声信号に変換するＡＤコンバータ６、ＡＤコンバータ６又はＣＤメカ部２からのデジタル音声信号に対し所定の信号処理を施して出力するＤＳＰ（デジタル・シグナル・プロセッサ）７、ＤＳＰ７からのデジタル音声信号をアナログ音声信号に変換するＤＡコンバータ８、ＤＡコンバータ８からのアナログ音声信号をアンプにより増幅する増幅部９、増幅部９からの音声信号をスピーカ、ヘッドホンその他の外部の機器に出力する出力部１０、システムマイコン１に対して操作指示を与えるための操作部１１、システムマイコン１からの画像データに基づき画像表示を行う表示部１２、ＤＳＰ７がアクセスする記憶部１３、及び記憶部１３と他の装置との間でデータの授受を行うための外部インタフェース１４を備える。記憶部１３はハードディスクやメモリ等の読書き可能な大容量記憶デバイスにより構成される。外部インタフェース１４としては、たとえばＵＳＢインタフェースが該当する。
【００１７】
操作部１１は種々の操作キーを備え、表示部１２と協働してユーザインタフェースを構成する。システムマイコン１は、操作部１１を介して与えられる指示に応じ、セレクタ５や、ＣＤメカ部２、ＤＳＰ７を制御し、指示された音源に基づく再生信号を出力部１０から出力させる。また、ＤＳＰ７により、記憶部１３に対して、ＤＳＰ７が処理するデジタル音声信号に基づいて楽曲ファイルを記憶させたり、記憶部１３に記憶されている楽曲ファイルに基づいて再生信号の出力を行ったりする。また、外部インタフェース１４を介して、記憶部１３及び外部の装置との間で楽曲ファイルの転送やコピーを行ったりする。楽曲ファイルの形式としては、たとえばＭＰ３やＷＭＡが該当する。
【００１８】
図２は、本発明の一実施形態に係る携帯型オーディオ装置（以下、「ＤＡＰ」という。）の構成を示すブロック図である。図中の２１、及び２３〜３４はそれぞれ図１中の１、及び３〜１４と同様の要素であり、同様の機能を行う。図２中の３５はセレクタ２５の入力側に接続されたマイクである。システムマイコン２１はセレクタ２５によりマイク３５からの音声信号を選択し、該音声信号に基づいて、録音を行ったり、出力部３０からの出力を行ったりすることができる。録音に際しては、録音データを記録した録音ファイルが記憶部３３において生成される。
【００１９】
このＤＡＰは外部インタフェース３４を介して図１の装置の外部インタフェース１４に接続したとき、図１の装置による記憶部３３のアクセスを許容する。こアクセスは、たとえば、ＤＡＰがＵＳＢ規格におけるマスストレッジモードに移行し、図１の装置がＵＳＢホストとして動作することにより達成される。
【００２０】
図３は据置き型オーディオ装置の記憶部１３やＤＡＰの記憶部３３におけるフォルダ構成を示す。このフォルダ構成におけるルートディレクトリ（ルートフォルダ）の下には「ＭＵＳＩＣ」、「ＲＥＣＯＲＤ」等の名称を付したフォルダが設けられる。フォルダ「ＭＵＳＩＣ」内には、ＣＤからリッピングした楽曲データや、オンラインで購入した楽曲データが格納される。フォルダ「ＭＵＳＩＣ」には下位のフォルダとして、アーティスト名を付したフォルダや、アルバム名を付したフォルダが設けられ、各楽曲データは、これらのフォルダ内に格納される。図３においては、フォルダ「ＭＵＳＩＣ」の下位のフォルダ「Ａｌｂｕｍ００１」において「ｍｕｓｉｃＡ０１．ｍｐ３」、「ｍｕｓｉｃＡ０２．ｍｐ３」等のファイルが格納されている様子が示されている。
【００２１】
フォルダ「ＲＥＣＯＲＤ」には、据置き型オーディオ装置やＤＡＰにおいて録音して得られた録音データが格納される。フォルダ「ＲＥＣＯＲＤ」には下位のフォルダとして、たとえば「ＦＭ」や「ＬＩＮＥ」等の名称を付したフォルダが設けられる。フォルダ「ＦＭ」には、チューナ４やチューナ２４による受信データのうち、ＦＭ放送の受信データに基づいて得られた録音データが記録される。フォルダ「ＦＭ」中の各録音ファイルには、その録音ファイルに係るＦＭ放送の放送周波数、録音日、及び録音開始時刻に関する情報が付随する。これらの情報はたとえば、ファイル名として記録される。
【００２２】
図３においては、フォルダ「ＲＥＣＯＲＤ」の下位のフォルダとして「ＦＭ」、「ＬＩＮＥ」等の名称のフォルダが設けられ、フォルダ「ＦＭ」内には「７６１Ｍ＿０８１２１５＿２１００００．ＷＭＡ」、「８００Ｍ＿０８１２２４＿１８０００１．ＷＭＡ」、「８００Ｍ＿０８１２２３＿１８００００．ＷＭＡ」等のファイルが格納され、フォルダ「ＬＩＮＥ」内には「０８１１３０２２２３５４．ＷＭＡ」等のファイルが格納されている様子が示されている。ファイル名「７６１Ｍ＿０８１２１５＿２１００００．ＷＭＡ」はその録音ファイルに係るＦＭ放送の放送周波数が７６．１ＭＨｚ、録音日が２００８年１２月１５日、録音開始時刻が２１時００分００秒であることを示す。ファイル名「８００Ｍ＿０８１２２４＿１８０００１．ＷＭＡ」は、その録音ファイルに係るＦＭ放送の放送周波数が８０．０ＭＨｚ、録音日が２００８年１２月２４日、録音開始時刻が１８時００分０１秒であることを示す。
【００２３】
なお、このような録音ファイルに付随する放送周波数、録音日、録音開始時刻等の情報の記録方法としては、かかる情報を録音ファイルに関連付けて記録するものであればよいので、上述のようなファイル名として記録する方法に限らず、他の各種の手法を用いることができる。たとえば、各録音ファイルのタグ情報として記録するようにしてもよい。
【００２４】
さらには、各手法により、分担して記録するようにしてもよい。たとえば、フォルダ「ＦＭ」に格納する録音ファイルのファイル名を、録音日及び録音開始時刻を示す「０８１２２３１８０００１．ＷＭＡ」とし、該録音ファイルのタグ情報におけるサブタイトルやコメントとして、放送周波数が８０．０ＭＨｚであることを表す情報を記録してもよい。また、ＦＭフォルダに格納されている録音ファイルのファイル名を、ＦＭ放送の録音であることを示す「ＦＭ」に追番「００１」を加えた「ＦＭ００１．ＷＭＡ」とし、該録音ファイルのタグ情報におけるサブタイトルやコメントとして、放送周波数が８０．０ＭＨｚであることを示す情報を記録し、該録音ファイルのタイムスタンプとして録音日時を記録するようにしてもよい。
【００２５】
フォルダ「ＬＩＮＥ」には、マイク３５を用いて録音を行うことにより生成した録音ファイルが格納される。図３においては、フォルダ「ＬＩＮＥ」内に「０８１１３０２２２３５４．ＷＭＡ」等の名称の録音ファイルが格納されている様子が示されている。この場合、ファイル名はその録音ファイルについての録音開始日時を示す。つまり、ファイル名「０８１１３０２２２３５４．ＷＭＡ」は、その録音ファイルが２００８年１１月３０日２２時２３分５４秒から開始した録音に係るものであることを示している。
【００２６】
図１の据置き型オーディオ装置は、図２のＤＡＰが外部インタフェース１４及び３４を介して接続されたときに、双方において放送周波数が一致し、かつ共通（重複）する録音期間が存在する録音ファイルを保持している場合には、据置き型オーディオ装置側の録音ファイルの録音日の方が新しいことを条件として、その録音ファイルをＤＡＰに転送するようにしている。
【００２７】
図４はこの録音ファイルの転送処理を示すフローチャートである。この処理はシステムマイコン１により、所定のプログラムに従って行われる。すなわち、処理を開始すると、システムマイコン１はまず、ステップ４１において、ＤＡＰが外部インタフェース１４を介して接続されるのを待機する。ＤＡＰが接続されたことを検出すると、ステップ４２において、記憶部１３内に、放送の録音により生成した所定形式のファイル名を有する録音ファイルが存在するかどうかを判定する。この判定は、たとえば、据置き型オーディオ装置において放送の録音に係る録音ファイルを格納するフォルダを対象とする調査結果に基づいて行う。たとえば、図３の例の場合、フォルダ「ＦＭ」を対象として、該録音ファイルの有無の判定を行う。所定形式のファイル名としては、たとえば、上述の放送周波数、録音日、録音開始時刻により構成される「受信周波数＿年月日＿録音開始時刻．ＷＭＡ」の形式のファイル名が該当する。
【００２８】
ステップ４２において所定形式のファイル名を有する録音ファイルが存在しないと判定した場合には、録音ファイルの転送を行うことなく、そのまま図４の処理を終了する。一方、そのような録音ファイルが存在すると判定した場合には、ステップ４３において、該録音ファイルと放送周波数が一致し、かつ録音の開始時刻から終了時刻までの間において共通（重複）する期間が存在する録音ファイルがＤＡＰの記憶部３３内に存在するかどうかを判定する。この判定は、たとえば、ＤＡＰにおいて放送の録音に係る録音ファイルを格納するフォルダを対象として行う。たとえば、図３の例の場合、フォルダ「ＦＭ」を対象として、該録音ファイルの有無の判定を行う。該フォルダ内に複数の録音ファイルが存在する場合には、それぞれについて、上述の放送周波数の同一性及び共通部分の有無を調べて判定を行う。
【００２９】
判定の対象となる双方の録音ファイルにおいて、録音の開始時刻から終了時刻までの間に共通する期間が存在するためには、一方の録音ファイルの録音開始時刻が他方の録音ファイルの録音開始時刻から録音終了時刻までの間に含まれている必要がある。この条件を満たす場合としては、（１）双方の録音ファイルの録音開始時刻が一致している場合、及び（２）一方の録音ファイルの録音開始時刻が、他方の録音ファイルの録音開始時刻の後でかつ録音終了時刻以前である場合がある。後者の（２）の場合は、いずれか一方又は双方の録音ファイルがタイマを用いて録音されたものでない場合に生じ得ることが想定される。ただし、タイマ録音の場合でも、ある程度の誤差は生じ得るので、録音開始時刻の相違が所定以下、たとえば数十秒程度以下である場合には、録音開始時刻が一致しているものとみなす。なお、録音ファイルについての録音終了時刻は、該録音ファイルのタグ情報等から該録音ファイルの記録時間を取得し、これを録音開始時刻に加算することによって取得することができる。
【００３０】
たとえば、判定の対象となる据置き型オーディオ装置側の録音ファイル（以下、「装置側録音ファイル」という。）のファイル名が「８００Ｍ＿０８１２２５＿１８００００．ＷＭＡ」であり、判定の対象となるＤＡＰ側の録音ファイル（以下、「ＤＡＰ側録音ファイル」という。）のファイル名が「８００Ｍ＿０８１２２４＿１８０００１．ＷＭＡ」である場合には、録音開始時刻の相違は１秒であり、上記（１）に該当するので、共通する録音期間が存在すると判定される。また、装置側録音ファイルのファイル名が「８００Ｍ＿０８１２２５＿１８０５３８．ＷＭＡ」であり、ＤＡＰ側録音ファイルのファイル名が「８００Ｍ＿０８１２２４＿１８０００１．ＷＭＡ」である場合には、ＤＡＰ側録音ファイルのタグ情報における記録時間がたとえば６０分０１秒であるとすれば、装置側録音ファイルの録音開始時刻１８時０５分３８秒が、ＤＡＰ側録音ファイルの録音開始時刻１８時００分０１秒の後でかつ録音終了時刻１９時００分０２秒以前であるから、上記（２）に該当し、共通する録音期間が存在すると判定される。
【００３１】
また、装置側録音ファイルのファイル名が「８００Ｍ＿０８１２２５＿１８３２０５．ＷＭＡ」であり、ＤＡＰ側録音ファイルのファイル名が「８００Ｍ＿０８１２２４＿１８０００１．ＷＭＡ」である場合には、ＤＡＰ側録音ファイルのタグ情報における記録時間がたとえば３０分０１秒であるとすれば、装置側録音ファイルの録音開始時刻１８時３２分０５秒が、ＤＡＰ側録音ファイルの録音開始時刻１８時００分０１秒の後でかつ録音終了時刻１８時３０分０２秒までの間に含まれないので、上記（１）及び（２）のいずれにも該当せず、共通する録音期間は存在しないと判定される。また、装置側録音ファイルのファイル名が「８００Ｍ＿０８１２２５＿１８０００１．ＷＭＡ」であり、ＤＡＰ側録音ファイルのファイル名が「８００Ｍ＿０８１２２４＿１８０８２６．ＷＭＡ」である場合には、装置側録音ファイルのタグ情報における記録時間がたとえば６０分０１秒であるとすれば、ＤＡＰ側録音ファイルの録音開始時刻１８時０８分２６秒が、装置側録音ファイルの録音開始時刻１８時００分０１秒の後でかつ録音終了時刻１９時００分０２秒以前であるから、上記（２）に該当し、共通する録音期間が存在すると判定される。また、装置側録音ファイルのファイル名が「８００Ｍ＿０８１２２５＿１８０００１．ＷＭＡ」であり、ＤＡＰ側録音ファイルのファイル名が「８００Ｍ＿０８１２２４＿１８３２０５．ＷＭＡ」である場合には、装置側録音ファイルのタグ情報における記録時間がたとえば３０分０１秒であるとすれば、ＤＡＰ側録音ファイルの録音開始時刻１８時３２分０５秒が、装置側録音ファイルの録音開始時刻１８時００分０１秒の後でかつ録音終了時刻１８時３２分０２秒までの間に含まれないので、上記（１）及び（２）のいずれにも該当せず、共通する録音期間は存在しないと判定される。
【００３２】
ステップ４３において該当する録音ファイルがＤＡＰの記憶部３３内に存在しないと判定した場合には、録音ファイルの転送を行うことなくそのまま図４の処理を終了する。一方、該当する録音ファイルが存在すると判定した場合には、ステップ４４において、装置側録音ファイルの録音日が、該当すると判定されたＤＡＰ側録音ファイルの録音日よりも新しいかどうかを判定する。新しくはないと判定した場合にはそのまま図４の処理を終了する。新しいと判定した場合には、ステップ４５において、装置側録音ファイルをＤＡＰの記憶部３３における所定のフォルダ、たとえば上述のフォルダ「ＦＭ」内に転送する。この後、図４の処理を終了する。
【００３３】
なお、ステップ４５において転送する装置側録音ファイルと同一のファイル名を有する録音ファイルが転送先のフォルダ内に存在する場合には、上書きされることになる。この場合、転送を行うかどうかの指示を受け入れて、指示に従うようにしてもよい。
【００３４】
本実施形態によれば、ＤＡＰが据置き型オーディオ装置に接続されたとき、記憶部１３中の所定形式の録音ファイルと、放送周波数が一致し、かつ共通する録音期間が存在し、かつ該録音ファイルよりも録音日が古い録音ファイルがＤＡＰの記憶部３３内に存在する場合には該記憶部１３の録音ファイルを記憶部３３に転送するようにしたため、所定の番組のラジオ放送を定期的に据置き型オーディオ装置で録音し、ＤＡＰに転送する場合に、転送する録音ファイルを選択し、転送先のフォルダを指定して転送指示を行う一連のユーザ操作を不要とすることができる。
【００３５】
なお、本発明は上述実施形態に限定されることなく、適宜変形して実施することができる。たとえば、上述においては、装置側録音ファイルの録音日がＤＡＰ側録音ファイルの録音日よりも後である場合に（ステップ４４）装置側録音ファイルを転送するようにしている（ステップ４５）が、その際に、対応するＤＡＰ側録音ファイルを削除してから転送を行うようにしてもよい。またその際、ＤＡＰ側録音ファイルが所定回数、たとえば１回以上再生されている場合にのみ削除し、所定回数以上再生されていない場合には削除しないようにしてもよい。録音ファイルの再生回数は、該録音ファイルのメタデータ等として再生が行われる際に記録し、管理することができる。
【００３６】
また、装置側録音ファイルを転送する際には、ＤＡＰ側録音ファイルが格納されているフォルダに対して転送を行うようにしてもよい。たとえば、図３のフォルダ構成図において、フォルダ「ＦＭ」内に「英会話」、さらにその下に「ＦＭ＊＊がっちり英会話」等のジャンルや番組名を表す下位のフォルダが存在し、このような下位のフォルダ内にＤＡＰ側録音ファイルが格納されている場合には、そのフォルダに対して転送を行うようにしてもよい。
【００３７】
また、上述においてはＦＭ放送を受信する場合について説明したが、ＡＭ放送等の他のラジオ放送を受信する場合についても同様にして本発明を適用することができる。
【符号の説明】
【００３８】
１，２１：システムマイコン、２：ＣＤメカ部、３，２３：外部入力端子、４，２４：チューナ、５，２５：セレクタ、６，２６：ＡＤコンバータ、７，２７：ＤＳＰ（デジタル・シグナル・プロセッサ）、８，２８：ＤＡコンバータ、９，２９：増幅部、１０，３０：出力部、１１，３１：操作部、１２，３２：表示部、１３，３３：記憶部、１４，３４：外部インタフェース、３５：マイク。
【図１】
2010165405.tif 000003
【図２】
2010165405.tif 000004
【図３】
2010165405.tif 000005
【図４】
2010165405.tif 000006